(57)【要約】【課題】移動通信ネットワークのＨＳ−ＤＳＣＨダウンリンクチャネルのデータのブロックの送信を管理するための改善された装置および方法を提供すること。【解決手段】装置（Ｄ）は、通信ネットワークの基地局とユーザの装置の間に設定されたＨＳ−ＤＳＣＨダウンリンクトランスポートチャネルで、デジタルデータブロックの送信を管理することを専用とする。装置（Ｄ）は、所与のブロックがトランスポートチャネルを介してユーザの装置に送信されることが必要になる度に、組織化されたビットの送信に優先権を与えるために第１のブロックの送信に使用される冗長パラメータＸＲＶの値が選択される、１つの選択されたシーケンスに従い、冗長パラメータＸＲＶの連続値を選択するように構成された処理手段（ＭＴ）を含む。【選択図】      図４
2005295548.tif 000002
【特許請求の範囲】
【請求項１】
通信ネットワークの基地局（ノードＢ）とユーザの装置（ＵＥ）の間に設定されたＨＳ−ＤＳＣＨダウンリンクトランスポートチャネルでの、デジタルデータブロックの送信を管理する装置（Ｄ）において、前記デジタルデータは「組織化された」タイプおよび／または「パリティ１または２」タイプであり、前記装置（Ｄ）は、冗長パラメータＸＲＶの値に応じて選択されたデジタルデータの第１の組を含むブロックを前記ユーザの装置（ＵＥ）に送信するために、冗長パラメータＸＲＶの値を選択し、前記ユーザの装置（ＵＥ）によるブロックの不正確な受信の場合に、前記冗長パラメータの他の値に応じて選択されたデジタルデータの別の組を含む少なくとも１つの他のブロックを前記ユーザの装置（ＵＥ）に送信するために、前記冗長パラメータの少なくとも１つの他の値を選択するように構成された処理手段（ＭＴ）を含み、前記処理手段（ＭＴ）が、所与のブロックを前記チャネルで送信する必要がある度に、第１のブロックの送信のために使用される冗長パラメータＸＲＶの値が組織化されたビットの送信に優先権を与えるように選択される、選択されたシーケンスに従い、冗長パラメータＸＲＶの連続値を選択するようにさらに構成されることを特徴とする装置。
【請求項２】
前記処理手段（ＭＴ）が、パリティ１またはパリティ２ビットの送信と組織化されたビットの送信に交互に優先権を与えるように、第１の送信の後に各ブロックの送信のために使用される冗長パラメータＸＲＶの値が選択される、選択されたシーケンスに従い、冗長パラメータＸＲＶの前記連続値を選択するように構成されることを特徴とする請求項１に記載の装置。
【請求項３】
前記処理手段（ＭＴ）が、各送信でマッチングするビット／記号を交替させるように冗長パラメータＸＲＶの各値が選択される、選択されたシーケンスに従い、冗長パラメータＸＲＶの前記連続値を選択するように構成されることを特徴とする請求項１に記載の装置。
【請求項４】
前記冗長パラメータＸＲＶが少なくとも第１の変数ｓと第２の変数ｒにより定義され、前記処理手段（ＭＴ）は、第１の変数（ｓ）が０と１から選択される２つの値を取ることができ、第２の変数（ｒ）は０、１、２および３から選択される少なくとも２つの値を取ることができるＱＰＳＫ変調を使用する送信の場合に、前記第１の送信に対応する前記第１の値が偶数である冗長パラメータＸＲＶの一連の値を構成するように、各シーケンスを選択するように構成されることを特徴とする請求項１に記載の装置。
【請求項５】
前記冗長パラメータＸＲＶが少なくとも第１の変数ｓと第２の変数ｒにより定義され、前記処理手段（ＭＴ）は、第１の変数（ｓ）が０と１から選択される２つの値を取ることができ、第２の変数（ｒ）は０、１、２および３から選択される少なくとも２つの値を取ることができるＱＰＳＫ変調を使用する送信の場合に、前記第１の送信に対応する前記第１の値が偶数である冗長パラメータＸＲＶの一連の値を構成するように、各シーケンスを選択するように構成され、前記処理手段（ＭＴ）は、冗長パラメータＸＲＶの交替する一連の偶数値と奇数値とを構成するように、各シーケンスを選択するように構成され、前記第１の送信に対応する前記第１の値は偶数である、ことを特徴とする請求項３に記載の装置。
【請求項６】
前記冗長パラメータＸＲＶが、式ＸＲＶ＝２ｒ＋１−ｓによって定義されることを特徴とする請求項４に記載の装置。
【請求項７】
前記処理手段（ＭＴ）が、交替する一連の、１に等しい第１の変数（ｓ）に対応する冗長パラメータＸＲＶの偶数値と、０に等しい第１の変数（ｓ）に対応する冗長パラメータＸＲＶの奇数値を構成するように、各シーケンスを選択するように構成されることを特徴とする請求項４に記載の装置。
【請求項８】
前記処理手段（ＭＴ）が、第２の変数（ｒ）の値がＸＲＶの各値と共に変わる、冗長パラメータ（ＸＲＶ）の一連の値を構成するように、各シーケンスを選択するように構成されることを特徴とする請求項４に記載の装置。
【請求項９】
前記処理手段（ＭＴ）が、第２の変数（ｒ）の値がＸＲＶの各２つの値と共に変わる、冗長パラメータＸＲＶの一連の値を構成するように、各シーケンスを選択するように構成されることを特徴とする請求項４に記載の装置。
【請求項１０】
前記処理手段（ＭＴ）が、各シーケンスを、一連の｛０，１，２，３，４，５，６，７｝、｛０，１，２，３｝および｛２，１，０，３，４｝の少なくとも一部から選択された、冗長パラメータＸＲＶの一連の値の形式で構成するように構成され、前記値、０、１、２、３、４、５、６および７はそれぞれに、（１，０）、（０，０）、（１，１）、（０，１）、（１，２）、（０，２）、（１，３）および（０，３）のように、第１と第２の変数の一対の値（ｓ，ｒ）に対応することを特徴とする請求項４に記載の装置。
【請求項１１】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するよう構成された、１６ＱＡＭ変調を使用する送信の場合に、前記処理手段（ＭＴ）が、少なくとも最初の２つの送信中に、第２の変数（ｒ）の値がＸＲＶの各値と共に変わる、冗長パラメータＸＲＶの一連の値を構成するように、各シーケンスを選択するように構成されることを特徴とする請求項１に記載の装置。
【請求項１２】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、少なくとも最初の４つの送信中に、第２の変数（ｒ）の値がＸＲＶの各２つの値と共に変わる、冗長パラメータＸＲＶの一連の値を構成するように、各シーケンスを選択するように構成されることを特徴とする請求項１に記載の装置。
【請求項１３】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、少なくとも最初の２つの送信中に、第３の変数の値がＸＲＶの各値と共に変わる、冗長パラメータＸＲＶの一連の値を構成するように、各シーケンスを選択するように構成されることを特徴とする請求項１に記載の装置。
【請求項１４】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、第３の変数の値がＸＲＶの各２つの値と共に変わる、冗長パラメータＸＲＶの一連の値を構成するように、各シーケンスを選択するように構成されることを特徴とする請求項１に記載の装置。
【請求項１５】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、前記第１の変数（ｓ）が１に等しいか、または０に等しい、冗長パラメータＸＲＶの一連の交替する値を構成するように、各シーケンスを選択するように構成されることを特徴とする請求項１に記載の装置。
【請求項１６】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、第２の変数（ｒ）と第３の変数の値がＸＲＶの各値について同時に変わる、冗長パラメータＸＲＶの一連の値を構成するように、各シーケンスを選択するように構成されることを特徴とする請求項１に記載の装置。
【請求項１７】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、第２の変数（ｒ）と第３の変数の値がＸＲＶの１つの値から別の値に交互に変わる、冗長パラメータＸＲＶの一連の値を構成するように、各シーケンスを選択するように構成されることを特徴とする請求項１に記載の装置。
【請求項１８】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の値はビット／記号のマッチングを定義するように構成された、１６ＱＡＭ変調を使用する送信の場合に、前記処理手段（ＭＴ）が、一連の｛０，３，５，１，２｝、｛０，３，５，１，４｝｛０，３，５，１，６｝、｛０，３，５，１，７｝、｛０，３，６，１，２｝、｛０，３，６，１，４｝、｛０，３，６，１，５｝、｛０，３，６，１，７｝、｛６，３，７，１，０｝、｛６，３，７，１，２｝、｛６，３，７，１，４｝および｛６，３，７，１，５｝の少なくとも一部から選択された、冗長パラメータＸＲＶの一連の値の形式で各シーケンスを構成するように構成され、前記値、０、１、２、３、４、５、６および７は、（１，０，０）、（０，０，０）、（１，１，１）、（０，１，１）、（１，０，１）、（１，０，２）、（１，０，３）および（１，１，０）のように、第１、第２および第３の変数の３つ組みの値にそれぞれ対応することを特徴とする請求項１に記載の装置。
【請求項１９】
前記処理手段（ＭＴ）は、前記選択されたシーケンスを循環的に使用するように構成されることを特徴とする請求項１に記載の装置。
【請求項２０】
請求項１に記載の少なくとも１つの管理装置（Ｄ）を含むことを特徴とする移動通信ネットワークのための基地局（ノードＢ）。
【請求項２１】
前記ネットワークの基地局（ノードＢ）に冗長パラメータＸＲＶの複数の一連の値を供給するように構成された、請求項１に記載の１つの管理装置（Ｄ）を含むことを特徴とする移動通信ネットワーク用の無線ネットワークコントローラ。
【請求項２２】
通信ネットワークとユーザの装置（ＵＥ）の間に設定されたＨＳ−ＤＳＣＨダウンリンクトランスポートチャネルで、デジタルデータブロックの送信を管理する方法において、デジタルデータは「組織化された」タイプおよび／または「パリティ１または２」タイプであってよく、前記方法は、冗長パラメータＸＲＶの値に応じて選択されたデジタルデータの第１の組を含むブロックの前記ユーザの装置（ＵＥ）による不正確な受信の場合に、前記冗長パラメータの他の値に応じて選択されたデジタルデータの別の組を含む少なくとも１つの他のブロックをユーザの装置（ＵＥ）に送信する際に、送信されるべき所与のブロックに対して、各第１のブロックの送信のために使用される冗長パラメータＸＲＶの値が組織化されたビットの優先権送信に対応する、選択されたシーケンスに従い、冗長パラメータＸＲＶの連続値が使用されることを特徴とする方法。
【請求項２３】
第１の送信の後に各ブロックの送信のために使用される冗長パラメータＸＲＶの値が、交替するパリティ１またはパリティ２ビットの優先の送信と組織化されたビットの優先の送信に対応する、選択されたシーケンスに従い、冗長パラメータＸＲＶの前記連続値が選択されることを特徴とする請求項２２に記載の方法。
【発明の詳細な説明】
【技術分野】
【０００１】
本発明は、移動通信ネットワークの分野に関し、より詳細には、そのようなネットワークのＨＳ−ＤＳＣＨトランスポートチャネルにおけるデジタルデータブロックの送信を管理することに関する。
【背景技術】
【０００２】
当業者ならば気付いているだろうが、ＧＳＭ／ＧＰＲＳ、ＵＭＴＳおよびＥＤＧＥネットワークなどのような移動（またはセルラ）通信ネットワークにおけるマルチメディアデータの伝送を制御する３ＧＰＰ仕様の第５版は、ダウンリンクパケットトラフィックを伝送するために高いビットレートを提供することを１つの具体的な目的とした、実質的に、伝送遅延に敏感でないインターネットトラフィックなどのような、高速ダウンリンクパケットアクセス（ＨＳＤＰＡ）機構を提案する。これは、ユーザの装置間で共用される、高速−ダウンリンクシェアドチャネル（ＨＳ−ＤＳＣＨ）として知られるトランスポートチャネルを使用することに基づく。
【０００３】
ＨＳ−ＤＳＣＨトランスポートチャネルは、ＭＡＣ層と物理層の間に位置する。ＨＳ−ＤＳＣＨトランスポートチャネルから来るデータビットは、物理層のレベルに位置しておりＨＳ−ＰＤＳＣＨと呼ばれる少なくとも１つの物理チャネルから構成される一組の物理チャネルで、ユーザの装置に送信される。
【０００４】
この場合、「ユーザの装置」という表現は、移動（またはセルラ）通信ネットワークと無線によってデータを交換することのできるいかなる通信端末をも意味する。
【０００５】
高いビットレートを得ることは、具体的には、ハイブリッド自動再送要求（ＨＡＲＱ）技術を利用することに依存し、これにより、ユーザの装置が、ＨＳ−ＤＳＣＨトランスポートチャネル上でその基地局から不正確なデータブロックを受信する度に、その基地局には、不正確な受信を示す否定応答（ＮＡＣＫ）メッセージが送信され、その結果、その基地局はそのユーザの装置に、ＨＳ−ＤＳＣＨトランスポートチャネルでデータビットの新しいブロックを送信する。この新しいブロックを受信すると、ユーザの装置は、それが含んでいるデータを、専用バッファに一時記憶されている、既に不正確に受信された１つまたは複数のブロックに含まれるデータと結合する。
【０００６】
「チェース結合」（ＣＣ）と呼ばれるモードと「インクリメンタル冗長」（ＩＲ）と呼ばれるモードの、２つの再送モードがある。それぞれ、ＣＣモードは、元のブロックと同じデータの組を含むブロックを再送し、ＩＲモードは、それぞれが部分的に互いに異なるデータの組を含むブロックを再送する。ＩＲモードでは、ブロックによって異なり、レートマッチングの段階で使用される、冗長パラメータＸＲＶの値に応じて各データの組が選択される。
【０００７】
当業者ならば気付いているだろうが、ＩＲ管理モードはＣＣ管理モードよりも効率がよく、したがって、冗長パラメータＸＲＶの最適値を選択することが特に重要である。
【発明の開示】
【発明が解決しようとする課題】
【０００８】
本発明の目的は、伝送されるべき各ブロックのデータの組を定義するために、レートマッチングの段階で使用される冗長パラメータＸＲＶの値の、所与の基地局に対する選択を最適化することである。
【課題を解決するための手段】
【０００９】
この目的で、本発明は、トランスポートチャネル符号化システムに対して、通信ネットワークの基地局とユーザの装置の間に設定されたＨＳ−ＤＳＣＨダウンリンクトランスポートチャネルで、（「組織化された」タイプおよび／または「パリティ１または２」タイプの）デジタルデータブロックの送信を管理する装置を提案する。
【００１０】
この装置は、冗長パラメータＸＲＶの値に応じて選択されたデジタルデータの第１の組を含むブロックを前記ユーザの装置に送信するために、冗長パラメータＸＲＶの値を選択し、前記ユーザの装置によるブロックの不正確な受信の場合に、ＸＲＶの前記他の値に応じて選択されたデジタルデータの別の組を含む少なくとも１つの他のブロックを前記ユーザの装置に送信するために、前記冗長パラメータＸＲＶの少なくとも１つの他の値を選択するように構成された処理手段を含む。
【００１１】
本発明によれば、処理手段は、所与のブロックを前記チャネルで送信する必要がある度に、第１のブロックの送信のために使用される冗長パラメータＸＲＶの値が組織化されたビットの送信に優先権を与えるように選択される、選択されたシーケンスに従い、冗長パラメータＸＲＶの連続値を選択するようにさらに構成される。
【００１２】
処理手段が、パリティ１またはパリティ２ビットの送信と組織化されたビットの送信に交互に優先権を与えるように、第１の送信の後に各ブロックの送信のために使用される冗長パラメータＸＲＶの値が選択される、選択されたシーケンスに従い、冗長パラメータＸＲＶの前記連続値を選択するように構成されることが好ましい。
【００１３】
処理手段が、これに加えて、かつ／またはこれの代わりに、各送信でマッチングするビット／記号を交替させるように冗長パラメータＸＲＶの各値が選択される、選択されたシーケンスに従い、冗長パラメータＸＲＶの前記連続値を選択するように構成することができる。
【００１４】
本発明は、ＸＲＶが第１の変数ｓと第２の変数ｒにより現在のＵＭＴＳ標準で定義され、例えば変数ｓは０と１から選択される２つの値を取ることができ、変数ｒは０、１、２および３から選択した少なくとも２つの値を取ることができる、ＱＰＳＫ変調を使用する送信と、ＸＲＶが第１の変数ｓ、第２の変数ｒおよび第３の変数により現在のＵＭＴＳ標準で定義され、例えば第１の変数ｓは０と１から選択される２つの値を取ることができ、第２の変数ｒは０と１から選択される少なくとも２つの値を取ることができ、第３の変数（例えば、値ｂ）はビット／記号のマッチングを定義するためのものであり、変数ｂは、一般に、０、１、２および３から選択される少なくとも２つの値である、１６ＱＡＭ変調を使用する送信とに等しく適用することができる。
【００１５】
ＱＰＳＫ変調の場合、処理手段は、第１の送信に対応する第１の値が偶数である、ＸＲＶの一連の値を構成するように、各シーケンスを選択するように構成することができる。この一連の値は、第１の送信に対応する第１の値を偶数として、ＸＲＶの偶数値と奇数値を交替させることを含むことが好ましい。
【００１６】
例えば、ＵＭＴＳ標準では、ＸＲＶがパラメータｒおよびｓのみに依存する場合、ＸＲＶは、式ＸＲＶ＝２ｒ＋１−ｓによって定義することができる。
【００１７】
さらに、処理手段は、一連の交替する、１に等しい変数ｓに対応するＸＲＶの偶数値と、０に等しい変数ｓに対応するＸＲＶの奇数値を構成するように、各シーケンスを選択するように構成することができる。
【００１８】
また、処理手段が、変数ｒの値がＸＲＶの各値またはＸＲＶの各２つの値とともに変わる、ＸＲＶの一連の値を構成するように、各シーケンスを選択するように構成することができる。
【００１９】
例えば、処理手段は、各シーケンスを、例えば少なくともこれらの最初の４つの値を含む、一連の｛０，１，２，３，４，５，６，７｝、｛０，１，２，３｝および｛２，１，０，３，４｝の少なくとも一部から選択された、一連の冗長値ＸＲＶの形式で構成するように構成することができる。ここで、値０、１、２、３、４、５、６および７はそれぞれに、一対の（ｓ，ｒ）値である（１，０）、（０，０）、（１，１）、（０，１）、（１，２）、（０，２）、（１，３）および（０，３）に対応する。
【００２０】
１６ＱＡＭ変調の場合、処理手段は、例えば少なくとも最初の２つ、３つまたは４つの送信で、第２の変数ｒの値がＸＲＶの各値またはＸＲＶの各２つの値と共に変わる、ＸＲＶの一連の値を構成するように、各シーケンスを選択するように構成することができる。この代わりに、またはこれに加えて、処理手段は、例えば少なくとも最初の２つ、３つまたは４つの送信で、第３の変数ｂの値がＸＲＶの各値またはＸＲＶの各２つの値と共に変わる、ＸＲＶの一連の値を構成するように、各シーケンスを選択するように構成することができる。これに加えて、かつ／またはこれの代わりに、処理手段は、例えば最初の２つ、３つまたは４つの送信で、第２の変数ｒと第３の変数ｓの値が同時にまたは交互に変化する、ＸＲＶの一連の値を構成するように、各シーケンスを選択するように構成することができる。
【００２１】
この場合、処理手段は、例えば、一連の｛０，３，５，１，２｝、｛０，３，５，１，４｝｛０，３，５，１，６｝、｛０，３，５，１，７｝、｛０，３，６，１，２｝、｛０，３，６，１，４｝、｛０，３，６，１，５｝、｛０，３，６，１，７｝、｛６，３，７，１，０｝、｛６，３，７，１，２｝、｛６，３，７，１，４｝および｛６，３，７，１，５｝の少なくとも一部から選択された、冗長パラメータＸＲＶの一連値の形式で各シーケンスを構成するように構成することができる。ここで、０、１、２、３、４、５、６および７の値は、（１，０，０）、（０，０，０）、（１，１，１）、（０，１，１）、（１，０，１）、（１，０，２）、（１，０，３）および（１，１，０）のように、第１、第２および第３の変数の３つ組みの値（ｓ，ｒ，ｂ）のそれぞれに対応する。
【００２２】
処理手段は、最初の変数ｓが１に等しいかまたは０に等しい、冗長パラメータＸＲＶの一連の交替する値を構成するように、各シーケンスを選択するように構成されることが好ましい。
【００２３】
どのタイプの変調が使用されても、処理手段は、選択されたシーケンスを循環的に使用するように構成することができる。
【００２４】
本発明は、第１に移動通信ネットワーク用の基地局、第２に移動通信ネットワーク用の基地局のトランスポートチャネル符号化システムのためのレートマッチングシステム、および第３に移動通信ネットワークの基地局用のトランスポートチャネル符号化システムも提案し、これらすべてに上記タイプの管理装置が装備されている。
【００２５】
本発明は、ネットワークの基地局に冗長パラメータＸＲＶの複数の一連の値を提供するように構成された、上記タイプの管理装置を含んだ、移動通信ネットワーク用の無線ネットワークコントローラ（ＲＮＣ）をさらに提案する。
【００２６】
本発明は、３ＧＰＰ無線通信の分野、具体的にはＷ−ＣＤＭＡ、ＣＤＭＡ  ２０００、ＩＳ９５、ＵＭＴＳ、ＧＳＭ／ＧＰＲＳおよびＥＤＧＥネットワークに専用というわけではないが、これに特に適している。
【００２７】
本発明の他の特性および利点は、以下の詳細な説明を読み、添付の図面を検討することにより、明らかになろう。
【００２８】
添付の図面は、本発明の説明の一部を構成し、必要に応じて、本発明の定義に寄与しうるものである。
【００２９】
本発明の目的は、移動通信ネットワークの基地局で冗長パラメータＸＲＶの値の選択を最適化することである。
【００３０】
本発明は、１つまたは複数のＨＳ−ＰＤＳＣＨ物理チャネルに関連付けられ、３ＧＰＰ仕様のバージョン５（アドレスｈｔｔｐ：／／ｗｗｗ．３ＧＰＰ．ｏｒｇの３ＧＰＰサイトで入手可能）で定義されたＨＳ−ＤＳＣＨダウンリンクを基地局と１つまたは複数のユーザの装置間で設定することのできる、いかなるタイプの移動通信ネットワークにでも関する。したがって、これは、３ＧＰＰ無線（または移動）通信、具体的にはＷ−ＣＤＭＡ、ＣＤＭＡ  ２０００、ＩＳ９５、ＵＭＴＳ、ＧＳＭ／ＧＰＲＳおよびＥＤＧＥネットワークに適用される。以下では、ＵＭＴＳネットワークを一例とする。
【００３１】
「ユーザの装置」という表現は、データを無線により信号形式で、他のユーザの装置またはその親ネットワークの装置、例えば基地局と交換することのできる、いかなる通信端末をも意味する。それは、例えば、移動電話、携帯情報端末（ＰＤＡ）または無線通信システムを装備した携帯コンピュータなどであってよい。
【発明を実施するための最良の形態】
【００３２】
本発明を実施することのできる移動通信ネットワーク（この場合はＵＭＴＳネットワーク）を、図１を参照してまず説明する。
【００３３】
本発明を理解するには十分に詳細ではあるが、一般的に言って、ＵＭＴＳネットワークは、ノードＢとして知られている、１つまたは複数の無線ネットワークコントローラ（ＲＮＣ）によってコアネットワークＣＮに接続された、１つまたは複数の基地局を含む、無線アクセスネットワークに連結されたコアネットワーク（ＣＮ）とみなすことができる。図示した例では、ＵＭＴＳネットワークは、ノードＲＮＣ１およびＲＮＣ２のそれぞれによってコアネットワークＣＮに接続された２つの基地局、ノードＢ１およびノードＢ２を含む。この例で、各基地局、ノードＢ１、ノードＢ２は、１つまたは複数のユーザの装置ＵＥがある無線エリアをカバーする単一セルＣ１、Ｃ２に関連付けられる。
【００３４】
各ノードＢｉ（ここで、ｉ＝１，２）は、信号処理、特に、それが制御するセルＣｉでユーザの装置ＵＥによって発信されたＵＭＴＳネットワークに対するアクセスの要求を管理すること、およびそのセルＣｉにあるユーザの装置ＵＥと設定したＨＳ−ＤＳＣＨトランスポートチャネルを管理する役割を担う。
【００３５】
ＨＳ−ＤＳＣＨトランスポートチャネルを管理する目的で、各ノードＢｉは、図２に一例として示したタイプのトランスポートチャネル符号化システムＳＣＣＴを含む。ＳＣＣＴシステムは、当業者には良く知られており、本発明の主要な主題を構成しないので、本明細書では詳細に説明しない。一般に、ＳＣＴＴシステムが以下に示すものを含むことを述べるだけで十分であろう。
−  連接モジュールＣＣによって提供されたデータに周期冗長検査（ＣＲＣ）フィールドを追加するための、モジュールＭＡＣＣ（データがアドレス指定されたユーザの装置ＵＥは、データ送信エラーを検出するためにＣＲＣフィールドを使用する）、
−  一部の特定ビットシーケンスによってその性能が低下する可能性のあるターボコーディング（ＴＣ）モジュールの性能を最適化するために、ＭＡＣＣモジュールによって提供されたデータビットを擬似乱数順に配置するための、ビットスクランブリングモジュールＭＢＳ、
−  技術仕様３ＧＰＰ  ＴＳ  ２５．２１２によって定義されるチャネルコーダによってサポートされる、最大サイズより小さいブロックを提供するために、モジュールＭＢＳによって提供されたデータブロックをより小さいブロックにセグメント化するための、コードブロックセグメント化モジュールＭＳＢＣ、
−  以下で入力ビットストリームと呼ぶ、「組織化された」「パリティ１」および「パリティ２」のタイプの符号化されたビットストリームＮＴＴＩを提供するために、コードブロックセグメント化モジュールＭＳＢＣによって提供されるデータビットを符号化するための、図３に示すタイプのターボコーディング（またはターボコーダ）モジュールＴＣであり、これはその目的のために以下の、
・  符号化されていないデータビットが供給された入力Ｅ
・  入力Ｅから直接来た符号化されていないビットが供給され、パリティ１の符号化されたビット（ｙ１ビット）を出力する第１の符号化モジュールＭ１、
・  インターリーバＩＮを介して入力Ｅから来た符号化されていないビットが供給され、パリティ２の符号化されたビット（ｙ２ビット）を出力する第２の符号化モジュールＭ２、
・  入力Ｅから直接来た符号化されていない組織化されたビット（ｅ）が供給され、第１のモジュールＭ１から来たパリティ１符号化ビット（ｙ１ビット）と、第２のモジュールＭ２から来たパリティ２符号化ビット（ｙ２ビット）とが供給され、符号化されたビットストリームＮＴＴＩを出力するビット収集モジュール、および
・  ３つの異なる符号化されたビットストリームＮＴＴＩを出力する出力Ｓ１、
を含み、
−  図４を参照して以下で説明するように、ターボコーダＴＣによって提供された様々なタイプの入力ビット（組織化された、パリティ１、パリティ２）のそれぞれのビットレートをマッチングし、「出力」ビットを提供するための、レートマッチングシステムＳＯＤ、
−  レートマッチングシステムＳＯＤによって提供され、また様々なＨＳ−ＰＤＳＣＨ物理チャネル間で分割できるようにＨＳ−ＤＳＣＨトランスポートチャネルによって転送された出力ビットをセグメント化する（または分離する）ことを担当する、物理チャネルセグメント化モジュールＭＳＣ、
−  無線チャネルに対する誤り訂正符号化（ＴＣ）性能を向上させるために、物理チャネルセグメント化モジュールＭＳＣによって提供されたビットを混合するようにインターリーブするための、インターリービングモジュールＭＥ、
−  適用可能な場合、１６ＱＡＭ変調が使用されるときには、インターリービングモジュールＭＥによって提供されたデータビットを再配列するための、ビット再配列モジュールＭＲＢ、および、
−  １つ以上のＨＳ−ＰＤＳＣＨ物理チャネルに、インターリービングモジュールＭＥまたはビット再配列モジュールＭＲＢによって提供されたビットを供給するための、物理チャネルレートマッチングモジュールＭＯＣＰ。
【００３６】
所与の伝送時間間隔（ＴＴＩ）でＨＳ−ＤＳＣＨトランスポートチャネルに関連付けられたＮ個の（Ｎ＞０）ＨＳ−ＰＤＳＣＨ物理チャネルで送信することのできる出力ビットの最大数は、変調のタイプによって異なり、合計期間２ｍｓの３つのスロット（各２ｍｓに送信される１ブロックに相当する）から構成される送信時間間隔ＴＴＩごとに、ＱＰＳＫ変調の場合、最大ビット数はＮ×９６０に等しく、１６ＱＡＭ変調の場合、この数はＮ×１９２０に等しく、ここで、Ｎは、ＨＳ−ＤＳＣＨトランスポートチャネルのデータビットのブロックを転送するために使用されるＨＳ−ＰＤＳＣＨ物理チャネル数、すなわちコード数を表す（物理チャネル当たり１つのコードがある）。レートマッチングシステムＳＯＤによって行なわれるレートマッチングが与えられると、物理チャネル組織化モジュールＭＯＣＰは、ＨＳ−ＤＳＣＨトランスポートチャネルに関連付けられたＮ個のＨＳ−ＰＤＳＣＨ物理チャネルを最適に充填するデジタルデータのブロックを構成する。
【００３７】
レートマッチングシステムＳＯＤは、ＮＡＣＫメッセージにより、ハイブリッド自動再送要求（ＨＡＲＱ）技術に従い、（前の）第１のブロックを正確に受信しなかったことを通知したユーザの装置ＵＥに、ＨＳ−ＤＳＣＨトランスポートチャネルに関連付けられた１つまたは複数のＨＳ−ＰＤＳＣＨ物理チャネルで、ブロック形式により、ノードＢが最高の優先順位で再送する必要のあるデータビットを選択する。
【００３８】
本発明のレートマッチングシステムＳＯＤは、図４を参照して以下で詳細に説明する。
【００３９】
序論で指摘したように、本発明は、第１のブロックの不正確な受信の結果として再送されるブロックが含んでいるデータビットの組が、少なくとも一部には、それに先行するブロックのデータビットの組と異なる、インクリメンタル冗長（ＩＲ）モードでのビットレートの組織化に関連する。この目的は、前に送信された以外のそれぞれ新しい再送ビットのために使用することである。これは、第１の送信時に削除されたビットの送信、または第１の送信時にビットを受信した場合の他のビットの改善された保護を可能にする。ブロックは、瞬間的にアッタチされたノードＢにより連続的に送信されたその様々なバージョンの内容と一時的にバッファに記憶されたその様々なバージョンの内容とを組み合わせることによって、宛先ユーザの装置ＵＥで復号される。
【００４０】
上記のように、ＨＡＲＱ手順の場合に第１の送信および後続の再送の両方で送信されるべきビットは、冗長パラメータＸＲＶの値に応じてレートマッチングシステムＳＯＤによって選択される。インクリメンタル冗長（ＩＲ）モードでのレートマッチングの全体的な性能は、主として、各（再送）送信のために使用されるＸＲＶの連続的な値に依存する。
【００４１】
その値により、このパラメータＸＲＶは、最高の優先順位で送信される必要のあるビットのそしてそれゆえに削除または反復のための最高の優先順位のビットのタイプ（組織化された、パリティ１またはパリティ２）を指定する。
【００４２】
図４に示すように、レートマッチングシステムＳＯＤは、ターボコーダＴＣによって入力ビットストリームＮＴＴＩが供給されるビット分離モジュールＳＢを含み、第１のレートマッチングの段階ＦＲＭによってそれらが個別に処理されるように、様々なタイプの入力ビット（組織化された（ＢＳ）ビット、パリティ１（ＢＰ１）ビットおよびパリティ２（ＢＰ２）ビット）を分離する。
【００４３】
第１のレートマッチングの段階ＦＲＭは、ターボコーダＴＣによって提供されたＮＴＴＩ個の入力ビットの、本発明のＩＲ仮想バッファ（ＭＴＶ）が含むことのできる「中間」ビットの数へのマッチを行なう。
【００４４】
この目的で、第１のレートマッチングの段階ＦＲＭは、それらの出力にパリティ１ビットストリームＮＰ１およびパリティ２ビットストリームＮＰ２を提供するために、パリティ１ビットＢＰ１とパリティ２ビットＢＰ２をそれぞれ処理する２つのレートマッチングモジュールＲＭ＿Ｐ１＿１およびＲＭ＿Ｐ２＿１を含む。
【００４５】
ＮＴＴＩ個の入力ビットは、一般に、仮想バッファＭＴＶが含むことのできる中間ビット数よりも多く、レートマッチングモジュールＲＭ＿Ｐ１＿１およびＲＭ＿Ｐ２＿１は、それらの一部を削除し、これは、「パンクチャリング」として知られている。このビット削除または「パンクチャリング」技術は、技術仕様３ＧＰＰ  ＴＳ  ２５．２１２、バージョン５．３．０によって定義される。
【００４６】
組織化されたビットは、第１のレートマッチングの段階ＦＲＭにおいていかなる削除処理も受けず、組織化されたビットストリームＮｓｙｓの形式で第３の出力に直接提供される。
【００４７】
３つのビットストリームＮｓｙｓ、Ｎｐ１およびＮｐ２は、仮想バッファＭＴＶに供給される。バッファＭＴＶのサイズは、宛先ユーザの装置ＵＥが第１のブロックを正確に受信し、ＨＡＲＱ技術に従い肯定応答メッセージＡＣＫを前記ノードＢに送信するまで、ノードＢに記憶されることを必要とする（中間）ビット数に依存する。
【００４８】
レートマッチングシステムＳＯＤは、冗長パラメータＸＲＶの値に応じて再送ごとに各タイプのビットストリームの優先順位ビットレートを定義し、仮想バッファＭＴＶに記憶された中間ビット数を、所与の時間間隔（ＴＴＩ）中にＨＳ−ＤＳＣＨトランスポートチャネルに関連付けられたＮ個のＨＳ−ＰＤＳＣＨ物理チャネルによって送信することのできる「出力」ビットの最大数にマッチングさせるための、第２のレートマッチングの段階ＳＲＭも含む。
【００４９】
この目的で、これは、組織化されたビットストリームＮｓｙｓ、パリティ１ビットストリームＮＰ１およびパリティ２ビットストリームＮＰ２をそれぞれ処理するための３つのレートマッチングモジュールＲＭ＿Ｓ、ＲＭ＿Ｐ１およびＲＭ＿Ｐ２＿２を含み、それらの出力に、組織化されたビットストリームＮｔ，ｓｙｓ、パリティ１ビットストリームＮｔ，ｐ１およびパリティ２ビットストリームＮｔ，ｐ２を提供し、これらのビットストリームは、ビットコレクタＣＢ２に供給され、ビットコレクタＣＢ２は、出力で、選択された様々なビットストリームを共にグループ化する出力ビットストリームＮｄａｔａを供給し、そして、物理チャネルセグメント化モジュールＭＳＣに供給される。
【００５０】
ＨＳ−ＤＳＣＨトランスポートチャネルに関連付けられた一組のＮ個のＨＳ−ＰＤＳＣＨ物理チャネルによって送信することのできる出力ビットの最大数に従い、所与の時間間隔（ＴＴＩ）中に、レートマッチングモジュールＲＭ＿Ｓ、ＲＭ＿Ｐ１＿２およびＲＭ＿Ｐ２＿２は、反復処理により、中間ビットを削除（またはパンクチャ）するか、またはビットを追加する。
【００５１】
ノードＢがユーザの装置ＵＥからＮＡＣＫメッセージを受信する度に、そのレートマッチングシステムＳＯＤの第２のレートマッチングの段階ＳＲＭは、バッファＭＴＶに記憶された中間ビットから再送されるべきブロックに対して一組の出力ビットを決定する。この一組は、ＣＣ送信の場合には既に（再送）送信された組と同じでありまたは、ＩＲ伝送の場合には既に（再送）送信された組とは異なる。
【００５２】
本発明の管理装置Ｄは、レートマッチングシステムＳＯＤの第２のレートマッチングの段階ＳＲＭによって使用され、適用可能な場合、変調が１６ＱＡＭ変調のときは、トランスポートチャネル符号化システムＳＣＣＴのモジュールＭＲＢにより使用される、各パラメータ値ＸＲＶを選択する。
【００５３】
これは、トランスポートチャネル符号化システムＳＣＣＴの統合部分を形成し、そのレートマッチングシステムＳＯＤとそのビット再配列モジュールＭＲＢとに連結され、またはトランスポートチャネル符号化システムＳＣＣＴの外部にあって（例えば、基地局にインストールされて）レートマッチングシステムＳＯＤとビット再配列モジュールＭＲＢとに連結されることができる。変調がＱＰＳＫ変調の場合、前記システムのみが管理装置Ｄを使用するので、管理装置Ｄは、レートマッチングシステムＳＯＤの統合部分であってもよい。また、これは、１つまたは複数の基地局に連結される無線ネットワークコントローラ（ＲＮＣ）の一部を構成することもできる。
【００５４】
さらに正確には、管理装置Ｄは、レートマッチングシステムＳＯＤによって、そして適用可能な場合はビット再配列モジュールＭＲＢによって使用されるべき、冗長パラメータＸＲＶの各値を選択するために、処理モジュールＭＴを含む。
【００５５】
ＵＭＴＳ標準の現在のバージョンでは、冗長パラメータＸＲＶは、少なくとも第１の変数ｓおよび第２の変数ｒによって定義される。
【００５６】
さらに正確には、ＵＭＴＳ標準の現在のバージョンでは、送信がＱＰＳＫ変調を使用するＨＳ−ＤＳＣＨチャネルで行なわれる場合には、ＸＲＶは、第１の変数ｓおよび第２の変数ｒによって定義される。この場合、変数ｓは一般に値０と１を取り、変数ｒは値０と１、または値０、１および２、または値０、１、２および３を取る。
【００５７】
さらに、ＵＭＴＳ標準の現在のバージョンでは、送信が１６ＱＡＭ変調によりＨＳ−ＤＳＣＨチャネルにより行なわれる場合には、ＸＲＶは第１の変数ｓ、第２の変数ｒおよび第３の「コンステレーションバージョン」変数ｂによって定義される。この場合、変数ｓは一般に値０および１を取り、変数ｒは一般に値０と１を取り、変数ｂは値０と１または、値０、１および２、またはより一般的には、値０、１、２および３を取る。３つの値ｒ、ｓおよびｂは、パラメータＸＲＶを定義する。変数ｂは、より具体的には、トランスポートチャネル符号化システムＳＣＣＴのビット再配列モジュールＭＲＢにビットおよび記号をマッチさせる方法を示す。
【００５８】
本発明によれば、所与のブロックがＨＳ−ＤＳＣＨチャネルで送信されなければならなくなる度に、処理モジュールＭＴは、所与のシーケンスに従った冗長パラメータＸＲＶの連続値を選択する。
【００５９】
各シーケンス内で、ブロックの第１の送信のために使用されるＸＲＶの値が、組織化されたビットを送信することに最高の優先順位を与えるように選択される。
【００６０】
第１の送信の後のブロック（再送）送信ごとに使用されるＸＲＶの値が、パリティ１または２ビットと組織化されたビットの交互の送信に最高の優先順位を与えるように選択されることが好ましい。言い換えると、組織化されたビットが第１の送信で最高の優先順位を有するとするならば、１つの送信から別の送信に、組織化されたビットとパリティ１または２ビットの優先順位を交替することが好ましい。
【００６１】
優先順位を条件付けるのは、変数ｓである。より正確には、ｓが１に等しい場合、組織化されたビットを送信することに最高の優先順位が与えられ、ｓが０に等しい場合、パリティ１または２ビットを送信することに最高の優先順位が与えられる。
【００６２】
変数ｒは、第２のレートマッチングの段階ＳＲＭの３つの組織化モジュールＲＭ＿Ｓ、ＲＭ＿Ｐ１＿２およびＲＭ＿Ｐ２＿２によって使用される反復図または削除図を、この３つのタイプのビットのストリームのビットレートを決定するために変更する。
【００６３】
さらに、各送信中にビット／記号のマッチングの交替を可能にするために、冗長パラメータＸＲＢの各値が選択される、選ばれたシーケンスに合わせて冗長パラメータＸＲＶの連続値を選択するために、処理モジュールＭＴを構成することができる。
【００６４】
より大きなシーケンス、またはより小さなシーケンスを定義することができる。例えば、シーケンスは、ＸＲＶの一連の２、３、４、５、６、７またはこれ以上の数の値でさえ含むことができる。
【００６５】
例えば、シーケンスは、一連の値｛０，１，２，３，４，５，６，７｝または一連の値｛０，１，２，３，４｝から構成することができる。
【００６６】
しかし、４回以上の送信が必須の場合は、処理モジュールＭＴが、複数の送信、例えば４回の送信（最高の優先順位で組織化されたビットに向かう第１の送信と、パリティ１または２ビットと組織化されたビットの間で最高の優先順位が交替する３回の再送）に対して最初に提供されたシーケンスを循環的に反復するように、処理モジュールＭＴを構成することも同様に可能である。図５は、この種類の状態を示す。より正確には、この例では、処理モジュールＭＴは、一連の値｛ＸＲＶ０、ＸＲＶ１、ＸＲＶ２、ＸＲＶ３｝から構成されたループされたシーケンスを使用する。このシーケンスの最後の値（ＸＲＶ３）が第４の送信のために使用される場合、必須ならば、第５の送信にもこのシーケンスの第１の値（ＸＲＶ０）が再度使用され、次いで第２の値（ＸＲＶ１）、次いで第３の値（ＸＲＶ２）、次いで第４の値（ＸＲＶ３）、次いで再び第５の値（ＸＲＶ０）等々が再度使用される。
【００６７】
言い換えると、ブロックがｎ番目に送信されるべき場合、使用されるＸＲＶの値は、式、ＸＲＶ＝Ｔ「Ｌを法とする（ｎ−１）」により定義され、ここで、Ｔは、選ばれたシーケンスの値ＸＲＶ（ｎ）を指定し、Ｌは、シーケンスの長さである（すなわち、それが含んでいる値の数は、ＩＲモードでは２またはそれ以上、又は、ＣＣモードでは１であり、それはＸＲＶの同じ値で再送されるのは常に同じビットのシーケンスである）。
【００６８】
実際には、ＸＲＶの異なる値の最大数を使用することが好ましい。
【００６９】
ＱＰＳＫ変調の場合、処理モジュールＭＴは、ＸＲＶの交替する一連の偶数値と奇数値を構成し、第１の送信に対応する第１の値を偶数とするように、各シーケンスを選択することができる。ＵＭＴＳ標準の現在のバージョンでは、ＸＲＶ＝２ｒ＋１−ｓのような式によって、パラメータＸＲＶを定義することが可能である。
【００７０】
この種類の式により、変数ｓが１に等しい場合はいつでもＸＲＶは偶数であり、変数ｓが０に等しい場合はいつでもＸＲＶは奇数である。したがって、ＸＲＶが偶数の場合はいつでも、最高の優先順位が組織化されたビットに割り当てられ、ＸＲＶが奇数の場合はいつでも、最高の優先順位がパリティ１または２ビットに割り当てられる。
【００７１】
処理モジュールＭＴは、それが、変数ｒの値が交替ごとに、またはＸＲＶの２つごとの値で異なる、ＸＲＶの交替する一連の値を構成するように、各シーケンスを選ぶこともできる。
【００７２】
例えば、シーケンス内で、ｒは、０，１，２，３，０，１，２，３，０，．．．，または０，０，１，１，２，２，３，３，０，０，１，１，．．．，または２，２，１，１，２，２，１，１，２，２，．．．の様に変わることができる。
【００７３】
次に示す表は、ＸＲＶの異なる値を生じる、変数ｓとｒの値の組み合わせの一例を示す。
【表１】
2005295548.tif 000003
【００７４】
ＸＲＶの交替する偶数と奇数の値を使用することは、組織化されたビットとパリティ１または２ビットの間で優先順位を交替させることに等しいことに留意することが重要である。これは、第１の送信中にｓを１に等しくなければならず、後続の再送の場合は０と１の間で交替させなければならず、同時にｒは各（再送）送信または各２回の（再送）送信中に変更しなければならないと言うことに等しい。
【００７５】
ＸＲＶの値が必ずしもそのシーケンス内のそれらの位置と共に増加する必要はないということに留意することも重要である。重要なのは、ＸＲＶの値の順序が、ｓの１および０値の交替に対応することである。例えば、シーケンスは、一連の増加する値｛０，１，２，３，４，５，６，７｝によって定義することができるが、同様に、特に順番のない一連の値｛２，５，６，１，０，３，４，７｝によって定義することもできる。これらの様々な、純粋に例示としての実施例では、シーケンスのＸＲＶの値は、上記の表で定義された一対の値（ｓ，ｒ）に対応する。
【００７６】
１６ＱＡＭ変調の場合、処理モジュールＭＴは、例えば（必須ではないが）少なくとも最初の４回の送信中に、変数ｒの値がＸＲＶの各値またはＸＲＶの各２つの値で変わる、ＸＲＶの一連の値を構成するように、各シーケンスを選択することができる。
【００７７】
例えば、これに加えて、またはこの代わりに、処理モジュールＭＴは、例えば（必須ではないが）少なくとも最初の４回の送信中に、変数ｂの値がＸＲＶの各値またはＸＲＶの各２つの値で変わる、ＸＲＶの一連の値を構成するように、各出力シーケンスを選択することができる。
【００７８】
可能ならば、各送信中にｒを変更することが好ましく、さらにまた可能ならば、各送信中にｂを変更することが好ましい。言い換えると、ｒとｂを、例えば各送信中に同時に変更するか、または例えば各２回の送信ごとに交互に変更することが可能である。
【００７９】
さらに、ＱＰＳＫ変調の場合のように、処理モジュールＭＴは、変数ｓが１に等しいか、または０に等しい冗長パラメータＸＲＶの交互になった一連の値を構成するように、各シーケンスを選択するよう構成されることが好ましい。
【００８０】
以下の表は、ＵＭＴＳ標準の現在のバージョンの場合に、ＸＲＶの異なる値をもたらす、変数ｓ、ｒおよびｂの値の組み合わせの一例を示す。
【表２】
2005295548.tif 000004
【００８１】
ＸＲＶの値は、そのシーケンス内のそれらの位置と共に必ずしも増加する必要はないことに留意することが重要である。重要なのは、ＸＲＶの値の順番は、ｓの交互の０と１の値に対応することである。
【００８２】
１６ＱＡＭ変調の場合は、１に等しいｓの値に対応するＸＲＶの値は、偶数のみではないことに留意することも重要である（上の表を参照のこと）。この結果、変数ｓに対して値０と１が交替するシーケンスは、もはや、ＸＲＶのパリティが交替するシーケンスではない。
【００８３】
例えば、シーケンスは、交替する一連の偶数値と奇数値である、一連の増加する値｛０，１，２，３，４，１，６，３｝によって定義することができるが、同様に、次のように特別な順番のない一連の値｛０，１，２，３，４，１，５，３｝、または次のように特別な順番のない一連の値｛０，３，５，１｝、または次のように特別な順番のない一連の値｛０，３，６，１｝、または次のように特別な順番のない一連の値｛５，３，７，１｝、または次のように特別な順番のない一連の値｛６，３，７，１｝によって定義することもできる。これらの種種のおよび純粋に例示のための実施例において、このシーケンスのＸＲＶの値は、上の表で定義された３つ組の値（ｓ，ｒ，ｂ）に対応する。
【００８４】
管理装置Ｄが、そのシーケンスを構成するためのＸＲＶの様々な値が記憶されるメモリＭを有することが好ましいことに留意することが重要である。このメモリＭは、シーケンスの定義を記憶することもできる。したがって、装置Ｄが介入する必要がある場合、その処理モジュールＭＴは、ＸＲＶの値を第２のレートマッチングの段階ＳＲＭに転送し、適用可能な場合はビット再配列モジュールＭＲＢに転送するために、メモリＭからＸＲＶの値を抽出するだけでよい。シーケンスの値および／または定義は、永続的に、または一時的にメモリＭに記憶することができる。言い換えると、メモリＭの内容を、例えばローカル端末、トランスポートチャネル符号化システム（ＳＣＣＴ）がインストールされた基地局（ノードＢ）に接続された無線ネットワークコントローラＲＮＣ、またはＯＭＣによって、動的に変更することを考えるという選択肢がある。別の選択肢は、ネットワークの少なくとも１つの基地局に冗長パラメータＸＲＶの一連の値を供給するために、無線ネットワークコントローラＲＮＣに本発明の管理装置Ｄをインストールすることである。
【００８５】
本発明の処理装置Ｄ、特にその処理モジュールＰＭは、例えば、電子回路、ソフトウェア（またはデータ処理）モジュール、または回路とソフトウェアの組み合わせの形式で実施することができる。レートマッチングシステムＳＯＤおよびトランスポートチャネル符号化システムＳＣＣＴについても同様のことが言える。
【００８６】
本発明は、通信ネットワークとユーザの装置ＵＥの間に設定されたＨＳ−ＤＳＣＨダウンリンクトランスポートチャネルにおいてデジタルデータブロックの送信を管理する方法とみなすこともでき、ここで、例えば少なくとも第１の変数ｓと第２の変数ｒによって定義された、冗長パラメータＸＲＶの値に応じて選択されたデジタルデータの第１の組を含むブロックのユーザの装置ＵＥによる不正確な受信が生じた場合、そのユーザの装置ＵＥに対して、冗長パラメータの別の値に応じて選択されたデジタルデータの別の組を含む少なくとも別の１つのブロックが送信される。
【００８７】
上記の方法は、特に、上記のレートマッチングシステムＳＯＤとトランスポートチャネル符号化システムＳＣＣＴの管理装置Ｄによって実施することができる。この方法の主要な任意選択の機能およびサブ機能は、管理装置Ｄおよび／またはレートマッチングシステムＳＯＤおよび／またはトランスポートチャネル符号化システムＳＣＴＴを構成する様々な手段の機能およびサブ機能と実質的に同一であり、以下では、本発明のこの方法の主要な機能を実施する段階だけをまとめた。
【００８８】
この方法は、所与のブロックを送信する必要がある度に、各第１のブロック送信に使用される冗長パラメータＸＲＶの値が組織化されたビットの優先順位の送信に対応する選択されたシーケンスで、冗長パラメータＸＲＶの連続値が使用されることを特徴とする。
【００８９】
さらに、第１の送信後の各ブロック送信のために使用される冗長パラメータＸＲＶの値が、パリティ１または２ビットの優先順位の送信と組織化されたビットの送信の交替に対応する、選択されたシーケンスに従い、冗長パラメータＸＲＶの連続値を選択することが好ましい。
【００９０】
本発明によれば、所与のビットレートを得るために必要なパワーを大幅に低減することが可能である。例えば、このパワーは、３つのブロック送信後に、実質的に３．５に等しいファクタだけ低減することができる。
【００９１】
本発明は、管理装置、レートマッチングシステム、トランスポートチャネル符号化システムおよび一例としてのみ上記で説明した管理方法の実施形態に限定されず、当業者が特許請求の範囲に含まれると想像することのできるすべての変形を含む。
【００９２】
上記の説明では、例えば１６ＱＡＭ変調の場合に、ＸＲＶの値をそのレートマッチングシステムおよびそのビット再配列モジュール（ＭＲＢ）に供給するために、本発明の管理装置がトランスポートチャネル符号化システムにインストールされた一実施形態を、図２および４を参照して説明した。しかし、本発明の管理装置は、同様に、１６ＱＡＭ変調の場合にレートマッチングシステムにインストールすることもできる。これは、トランスポートチャネル符号化システムがインストールされた基地局、またはその基地局に連結された無線ネットワークコントローラに、同様にインストールすることもできる。
【図面の簡単な説明】
【００９３】
【図１】本発明の処理装置に装備された基地局（ノードＢ）を含むＵＭＴＳ通信ネットワークの一部の一実施形態を示す図である。
【図２】本発明の処理装置に装備されたトランスポートチャネル符号化システムの一実施形態を示す機能図である。
【図３】図２のトランスポートチャネル符号化システムに対するターボコーダの一実施形態を示す機能ブロック図である。
【図４】図２のトランスポートチャネル符号化システムに対するレートマッチングシステムの一実施形態を示す機能ブロック図である。
【図５】シーケンスを構成する冗長パラメータＸＲＶの４つの異なる値を使用する循環管理手順の一例を示す図である。
【符号の説明】
【００９４】
ＳＯＤ  レートマッチングシステム
ＦＲＭ  第１のレートマッチングの段階
ＭＴＶ  仮想バッファ
ＳＲＭ  第２のレートマッチングの段階
ＣＢ２  ビットコレクタ
ＢＳ  組織化されたビット
ＢＰ１  パリティ１ビット
ＢＰ２  パリティ２ビット
ＭＴ  処理モジュール
ＭＲＢ  ビット再配列モジュール
ＸＲＶ  冗長パラメータ
ＳＢ  ビット分離モジュール
Ｎｔ，ｓｙｓ  組織化されたビットストリーム
Ｎｔ，ｐ１  パリティ１ビットストリーム
Ｎｔ，ｐ２  パリティ２ビットストリーム
Ｎｄａｔａ  出力ビットストリーム
【図１】
2005295548.tif 000005
【図２】
2005295548.tif 000006
【図３】
2005295548.tif 000007
【図４】
2005295548.tif 000008
【図５】
2005295548.tif 000009
【外国語明細書】
2005295548.tif 000010
2005295548.tif 000011
2005295548.tif 000012
2005295548.tif 000013
2005295548.tif 000014
2005295548.tif 000015
2005295548.tif 000016
2005295548.tif 000017
2005295548.tif 000018
2005295548.tif 000019
2005295548.tif 000020
2005295548.tif 000021
2005295548.tif 000022
2005295548.tif 000023
2005295548.tif 000024
2005295548.tif 000025
2005295548.tif 000026
2005295548.tif 000027
2005295548.tif 000028
2005295548.tif 000029
2005295548.tif 000030
2005295548.tif 000031
2005295548.tif 000032
2005295548.tif 000033
2005295548.tif 000034
2005295548.tif 000035
2005295548.tif 000036
2005295548.tif 000037
2005295548.tif 000038
2005295548.tif 000039
2005295548.tif 000040
2005295548.tif 000041
2005295548.tif 000042
2005295548.tif 000043
2005295548.tif 000044
2005295548.tif 000045